(57)【要約】【課題】互いに異なる規格の通信網間を中継することができるスイッチングハブ、フレーム中継方法、及びネットワーク中継機器を提供する。【解決手段】スイッチングハブ１は、ＢＶＩＤ若しくはＩＳＩＤを含むＰＢＢフレームを伝送するＰＢＢ網に接続されるＰＢＢ網側送受信部を備え、ＰＢＢ網側送受信部は、ＢＶＩＤ若しくはＩＳＩＤに対応づけて内部ＶＩＤを格納している受信ＰＢＢ格納部と、ＰＢＢフレームのＢＶＩＤ若しくはＩＳＩＤを、ＰＢＢフレームに含まれているＢＶＩＤ若しくはＩＳＩＤに対応づけて受信ＰＢＢ格納部が格納している内部ＶＩＤに変換するＰＢＢ側ＶＬＡＮ変換部と、ＰＢＢ側ＶＬＡＮ変換部において変換された内部ＶＩＤを用い、ＰＢＢフレームを、ＰＢＢ側送受信部からＥｏＥ網側送受信部に中継可能な装置内フレームに変換するＰＢＢ側フレーム変換部とを有する。【選択図】図１
2011120032.tif 000002
【特許請求の範囲】
【請求項１】
ＥｏＥ網とＰＢＢ網とを中継するスイッチングハブであって、
Ｂａｃｋｂｏｎｅ  ＶＬＡＮ  ＩＤ（ＢＶＩＤ）若しくはｂａｃｋｂｏｎｅ  Ｓｅｒｖｉｃｅ  ｉｎｓｔａｎｃｅ  ＩＤ（ＩＳＩＤ）を含むＰＢＢフレームを伝送する前記ＰＢＢ網に接続されるＰＢＢ網側送受信部と、
前記ＥｏＥ網に接続されるＥｏＥ網側送受信部と
を備え、
前記ＰＢＢ網側送受信部は、
前記ＢＶＩＤ若しくは前記ＩＳＩＤに対応づけて内部ＶＬＡＮ  ＩＤ（内部ＶＩＤ）を格納している受信ＰＢＢ格納部と、
前記ＰＢＢフレームの前記ＢＶＩＤ若しくは前記ＩＳＩＤを、前記ＰＢＢフレームに含まれている前記ＢＶＩＤ若しくは前記ＩＳＩＤに対応づけて前記受信ＰＢＢ格納部が格納している前記内部ＶＩＤに変換するＰＢＢ側ＶＬＡＮ変換部と、
前記ＰＢＢ側ＶＬＡＮ変換部において変換された前記内部ＶＩＤを用い、前記ＰＢＢフレームを、前記ＰＢＢ側送受信部から前記ＥｏＥ網側送受信部に中継可能な装置内フレームに変換するＰＢＢ側フレーム変換部と
を有するスイッチングハブ。
【請求項２】
前記ＰＢＢ網での宛先情報であるＢａｃｋｂｏｎｅ  Ｄｅｓｔｉｎａｔｉｏｎ  Ａｄｄｒｅｓｓ（ＢＤＡ）及び前記ＰＢＢ網での送信元情報であるＢａｃｋｂｏｎｅ  Ｓｏｕｒｃｅ  Ａｄｄｒｅｓｓ（ＢＳＡ）により、宛先判定及び送信元学習を実行するＰＢＢ側宛先判定・送信元学習部を更に備える請求項１に記載のスイッチングハブ。
【請求項３】
前記ＥｏＥ網は、Ｅｘｔｅｎｄｅｄ  ＩＤ（ＥＩＤ）及びＳｅｒｖｉｃｅ  ｐｒｏｖｉｄｅｒ  ＶＬＡＮ  ＩＤ（ＳＶＩＤ）を含むＥｏＥフレームを伝送し、
前記ＥｏＥ網側送受信部は、
前記ＰＢＢ網側送受信部から受け取る前記装置内フレームを、前記ＥｏＥ網を伝送する形式を有し、前記ＰＢＢ側ＶＬＡＮ変換部において変換された前記内部ＶＩＤが付加された内部ＶＩＤ付ＥｏＥフレームに変換するＥｏＥ側フレーム変換部と、
前記内部ＶＩＤに対応づけて前記ＥＩＤ及び前記ＳＶＩＤ、若しくは前記ＳＶＩＤを格納している送信ＥｏＥ格納部と、
前記内部ＶＩＤ付ＥｏＥフレームの前記内部ＶＩＤに対応づけて前記送信ＥｏＥ格納部が格納している前記ＥＩＤ及び前記ＳＶＩＤ、若しくは前記ＳＶＩＤを、前記内部ＶＩＤ付ＥｏＥフレームに格納するＥｏＥ側ＶＬＡＮ変換部と
を有する請求項２に記載のスイッチングハブ。
【請求項４】
前記ＥｏＥ網側送受信部は、
前記ＥＩＤ及び前記ＳＶＩＤ、若しくは前記ＳＶＩＤに対応づけて内部ＶＬＡＮ  ＩＤ（内部ＶＩＤ）を格納している受信ＥｏＥ格納部
を更に有し、
前記ＥｏＥ側ＶＬＡＮ変換部は、前記ＥｏＥフレームの前記ＥＩＤ及び前記ＳＶＩＤ、若しくは前記ＳＶＩＤを、前記ＥｏＥフレームに含まれている前記ＥＩＤ及び前記ＳＶＩＤ、若しくは前記ＳＶＩＤに対応づけて前記受信ＥｏＥ格納部が格納している前記内部ＶＩＤに変換し、
前記ＥｏＥ側フレーム変換部は、前記ＥｏＥ側ＶＬＡＮ変換部において変換された前記内部ＶＩＤを用い、前記ＥｏＥフレームを、前記ＥｏＥ側送受信部から前記ＰＢＢ網側送受信部に中継可能な装置内フレームに変換する請求項３に記載のスイッチングハブ。
【請求項５】
前記ＥｏＥ網での宛先情報であるＥｏＥ  Ｄｅｓｔｉｎａｔｉｏｎ  Ａｄｄｒｅｓｓ（ＥＤＡ）及び前記ＥｏＥ網での送信元情報であるＥｏＥ  Ｓｏｕｒｃｅ  Ａｄｄｒｅｓｓ（ＥＳＡ）により、宛先判定及び送信元学習を実行するＥｏＥ側宛先判定・送信元学習部を更に備える請求項４に記載のスイッチングハブ。
【請求項６】
前記ＰＢＢ網側送受信部は、
前記内部ＶＩＤに対応づけて前記ＢＶＩＤ若しくは前記ＩＳＩＤを格納している送信ＰＢＢ格納部
を更に有し、
前記ＰＢＢ側フレーム変換部は、前記ＥｏＥ側ＶＬＡＮ変換部において変換された前記装置内フレームを、前記ＰＢＢ網を伝送する形式を有し、前記ＥｏＥ側ＶＬＡＮ変換部において変換された前記内部ＶＩＤが付加された内部ＶＩＤ付ＰＢＢフレームに変換し、
前記ＰＢＢ側ＶＬＡＮ変換部は、前記内部ＶＩＤ付ＰＢＢフレームの前記内部ＶＩＤに対応づけて前記送信ＰＢＢ格納部が格納している前記ＢＶＩＤ若しくは前記ＩＳＩＤを、前記内部ＶＩＤ付ＰＢＢフレームに格納する請求項５に記載のスイッチングハブ。
【請求項７】
前記ＰＢＢ網側送受信部は、ＰＢＢ側ポートを有し、
前記ＥｏＥ網側送受信部は、ＥｏＥ側ポートを有し、
前記ＰＢＢ側ポートは、受信する前記ＰＢＢフレームに含まれる前記ＢＶＩＤ若しくは前記ＩＳＩＤに対して予め規定された前記内部ＶＩＤが対応づけられ、
前記ＥｏＥ側ポートは、受信する前記ＥｏＥフレームに含まれる前記ＥＩＤ及び前記ＳＶＩＤ、若しくは前記ＳＶＩＤに対して予め規定された前記内部ＶＩＤが対応づけられ、
前記ＰＢＢ側ポートは、受信した前記ＰＢＢフレームに含まれる前記ＢＶＩＤ若しくは前記ＩＳＩＤに対応する前記内部ＶＩＤと同一の前記内部ＶＩＤに対応する前記ＥｏＥ側ポートと通信可能になり、
前記ＥｏＥ側ポートは、受信した前記ＥｏＥフレームに含まれる前記ＥＩＤ及び前記ＳＶＩＤ、若しくは前記ＳＶＩＤに対応する前記内部ＶＩＤと同一の前記内部ＶＩＤに対応する前記ＰＢＢ側ポートと通信可能になる請求項６に記載のスイッチングハブ。
【請求項８】
前記ＥｏＥフレームは、Ｔｉｍｅ  ｔｏ  ｌｉｖｅ（ＴＴＬ）を含み、
前記ＥｏＥ側フレーム変換部は、前記ＥｏＥ側フレーム変換部において変換された前記装置内フレームに前記ＴＴＬを付加し、
前記ＰＢＢ側フレーム変換部は、前記装置内フレームに付加された前記ＴＴＬを前記内部ＶＩＤ付ＰＢＢフレーム内に含ませ、
前記ＰＢＢ側ＶＬＡＮ変換部は、前記ＴＴＬを含む前記内部ＶＩＤ付ＰＢＢフレームを、前記ＴＴＬを含む前記ＰＢＢフレームに変換する請求項７に記載のスイッチングハブ。
【請求項９】
前記ＰＢＢ側フレーム変換部は、前記ＰＢＢフレームに前記ＴＴＬが含まれていない場合、予め定められたＴＴＬ（デフォルトＴＴＬ）を前記装置内フレームに付加し、
前記ＥｏＥ側フレーム変換部は、前記デフォルトＴＴＬを前記内部ＶＩＤ付ＥｏＥフレーム内に含ませ、
前記ＥｏＥ側ＶＬＡＮ変換部は、前記デフォルトＴＴＬを含む前記内部ＶＩＤ付ＥｏＥフレームを、前記デフォルトＴＴＬを含む前記ＥｏＥフレームに変換する請求項８に記載のスイッチングハブ。
【請求項１０】
前記ＰＢＢ側フレーム変換部は、前記内部ＶＩＤ付ＰＢＢフレームに、前記ＴＴＬ若しくは前記デフォルトＴＴＬが前記ＰＢＢフレームに含まれるか否かを示すＴＴＬ用フラグを含ませる請求項９に記載のスイッチングハブ。
【請求項１１】
ＥｏＥ網側送受信部が接続されているＥｏＥ網と、Ｂａｃｋｂｏｎｅ  ＶＬＡＮ  ＩＤ（ＢＶＩＤ）若しくはｂａｃｋｂｏｎｅ  Ｓｅｒｖｉｃｅ  ｉｎｓｔａｎｃｅ  ＩＤ（ＩＳＩＤ）を含むＰＢＢフレームを伝送し、ＰＢＢ網側送受信部が接続されているＰＢＢ網とを中継するフレーム中継方法であって、
前記ＰＢＢフレームの前記ＢＶＩＤ若しくは前記ＩＳＩＤを、前記ＰＢＢフレームに含まれている前記ＢＶＩＤ若しくは前記ＩＳＩＤに対応づけて内部ＶＬＡＮ  ＩＤ（内部ＶＩＤ）を格納している受信ＰＢＢ格納部に格納されている前記内部ＶＩＤに変換するＰＢＢ側ＶＬＡＮ変換工程と、
前記ＰＢＢ側ＶＬＡＮ変換工程において変換された前記内部ＶＩＤを用い、前記ＰＢＢフレームを、前記ＰＢＢ網側送受信部から前記ＥｏＥ網側送受信部に中継可能な装置内フレームに変換するＰＢＢ側フレーム変換工程と
を備えるフレーム中継方法。
【請求項１２】
前記ＥｏＥ網は、Ｅｘｔｅｎｄｅｄ  ＩＤ（ＥＩＤ）及びＳｅｒｖｉｃｅ  ｐｒｏｖｉｄｅｒ  ＶＬＡＮ  ＩＤ（ＳＶＩＤ）を含むＥｏＥフレームを伝送し、
前記装置内フレームを、前記ＥｏＥ網を伝送する形式を有し、前記内部ＶＩＤが付加された内部ＶＩＤ付ＥｏＥフレームに変換するＥｏＥ側フレーム変換工程と、
前記内部ＶＩＤ付ＥｏＥフレームの前記内部ＶＩＤに対応づけて、前前記内部ＶＩＤに前記ＥＩＤ及び前記ＳＶＩＤ、若しくは前記ＳＶＩＤを対応づけて格納している送信ＥｏＥ格納部に格納されている前記ＥＩＤ及び前記ＳＶＩＤ、若しくは前記ＳＶＩＤを、前記内部ＶＩＤ付ＥｏＥフレームに格納するＥｏＥ側ＶＬＡＮ変換工程と
を備える請求項１１に記載のフレーム中継方法。
【請求項１３】
前記ＥｏＥ側ＶＬＡＮ変換工程は、前記ＥｏＥフレームの前記ＥＩＤ及び前記ＳＶＩＤ、若しくは前記ＳＶＩＤを、前記ＥｏＥフレームに含まれている前記ＥＩＤ及び前記ＳＶＩＤ、若しくは前記ＳＶＩＤに対応づけて内部ＶＬＡＮ  ＩＤ（内部ＶＩＤ）を格納している受信ＥｏＥ格納部に格納されている前記内部ＶＩＤに変換し、
前記ＥｏＥ側フレーム変換工程は、前記ＥｏＥ側ＶＬＡＮ変換工程において変換された前記内部ＶＩＤを用い、前記ＥｏＥフレームを、前記ＥｏＥ網側送受信部から前記ＰＢＢ網側送受信部に中継可能な装置内フレームに変換する請求項１２に記載のフレーム中継方法。
【請求項１４】
前記ＰＢＢ側フレーム変換工程は、前記ＥｏＥ側ＶＬＡＮ変換工程において変換された前記装置内フレームを、前記ＰＢＢ網を伝送する形式を有し、前記ＥｏＥ側ＶＬＡＮ変換工程において変換された前記内部ＶＩＤが付加された内部ＶＩＤ付ＰＢＢフレームに変換し、
前記ＰＢＢ側ＶＬＡＮ変換工程は、前記内部ＶＩＤ付ＰＢＢフレームの前記内部ＶＩＤに対応づけて、前記内部ＶＩＤに前記ＢＶＩＤ若しくは前記ＩＳＩＤを対応づけて格納している送信ＥｏＥ格納部に格納されている前記ＢＶＩＤ若しくは前記ＩＳＩＤを、前記内部ＶＩＤ付ＥｏＥフレームに格納する請求項１３に記載のフレーム中継方法。
【請求項１５】
前記ＥｏＥフレームは、Ｔｉｍｅ  ｔｏ  ｌｉｖｅ（ＴＴＬ）を含み、
前記ＥｏＥ側フレーム変換工程は、前記ＥｏＥ側フレーム変換工程において変換された前記装置内フレームに前記ＴＴＬを付加し、
前記ＰＢＢ側フレーム変換工程は、前記装置内フレームに付加された前記ＴＴＬを前記内部ＶＩＤ付ＰＢＢフレーム内に含ませ、
前記ＰＢＢ側ＶＬＡＮ変換工程は、前記ＴＴＬを含む前記内部ＶＩＤ付ＰＢＢフレームを、前記ＴＴＬを含む前記ＰＢＢフレームに変換する請求項１４に記載のフレーム中継方法。
【請求項１６】
前記ＰＢＢ側フレーム変換工程は、前記ＰＢＢフレームに前記ＴＴＬが含まれていない場合、予め定められたＴＴＬ（デフォルトＴＴＬ）を前記装置内フレームに付加し、
前記ＥｏＥ側フレーム変換工程は、前記デフォルトＴＴＬを前記内部ＶＩＤ付ＥｏＥフレーム内に含ませ、
前記ＥｏＥ側ＶＬＡＮ変換工程は、前記デフォルトＴＴＬを含む前記内部ＶＩＤ付ＥｏＥフレームを、前記デフォルトＴＴＬを含む前記ＥｏＥフレームに変換する請求項１５に記載のフレーム中継方法。
【請求項１７】
前記ＰＢＢ側フレーム変換工程は、前記内部ＶＩＤ付ＰＢＢフレームに、前記ＴＴＬ若しくは前記デフォルトＴＴＬが前記ＰＢＢフレームに含まれるか否かを示すＴＴＬ用フラグを含ませる請求項１６に記載のフレーム中継方法。
【請求項１８】
情報に、第１宛先情報、第１送信元情報、及び前記情報を識別する第１識別情報を含む第１カプセル化ヘッダを付加して第１カプセル化情報とし、前記第１カプセル化情報を中継する第１通信網と、
前記第１通信網と異なる規格であって、情報に、第２宛先情報、第２送信元情報、及び前記情報を識別する第２識別情報を含む第２カプセル化ヘッダを付加して第２カプセル化情報とし、前記第２カプセル化情報を中継する第２通信網と
の間で情報を中継するネットワーク中継機器であって、
前記第１通信網に接続する第１通信網側送受信部と、
前記第２通信網に接続する第２通信網側送受信部と
を備え、
前記第１通信網側送受信部は、
前記第１識別情報に対応づけて内部識別情報を格納している受信第１通信網格納部と、
前記第１識別情報を、前記第１識別情報に対応づけて前記受信第１通信網格納部が格納している前記内部識別情報に変換する第１通信網側識別情報変換部と、
前記第１通信網側識別情報変換部において変換された前記内部識別情報を用いて、前記第１カプセル化情報を、前記第１通信網側送受信部から前記第２通信網側送受信部に中継可能な装置内情報に変換する第１通信網側情報変換部と、
前記第１宛先情報及び前記第１送信元情報により、宛先判定と送信元学習とを実行する第１宛先判定・送信元学習部と
を有し、
前記第２通信網側送受信部は、
前記第１通信網側送受信部から受け取る前記装置内情報を、前記第１通信網側識別情報変換部において変換された前記内部識別情報が付加された内部識別情報付第２カプセル化情報に変換する第２通信網側情報変換部と、
前記内部識別情報に対応づけて前記第２識別情報を格納している送信第２通信網格納部と、
前記内部識別情報付第２カプセル化情報の前記内部識別情報に対応づけて前記送信第２通信網格納部が格納している前記第２識別情報を、前記内部識別情報付第２カプセル化情報に格納する第２通信網側識別情報変換部と
を有する、ネットワーク中継機器。
【発明の詳細な説明】
【技術分野】
【０００１】
本発明は、スイッチングハブ、フレーム中継方法、及びネットワーク中継機器に関する。特に、本発明は、互いに異なる規格の通信網同士を中継するスイッチングハブ、フレーム中継方法、及びネットワーク中継機器に関する。
【背景技術】
【０００２】
従来、コアスイッチとこれに接続される複数のＥｔｈｅｒｎｅｔ（登録商標）  ｏｖｅｒ  Ｅｔｈｅｒｎｅｔ（ＥｏＥ）スイッチとを少なくとも有するＥｏＥネットワークにおけるループ位置特定システムであって、ループ発生の有無を検査するためのカプセル化試験フレームをＥｏＥネットワークに送出する試験装置と、ＥｏＥネットワーク上に位置し、ループにより戻ってきた試験フレームに、ポート番号を含む送信元アドレスを自分のアドレスとするカプセル部を付加して形成したカプセル化試験フレームを返送するＥｏＥスイッチとを具備し、試験装置は、送出時の試験フレームと返送されたカプセル化試験フレームの試験フレームとが一致した時にループが発生したと判断すると共に、ループを起こしているＥｏＥスイッチとそのポート番号を特定するループ位置特定システムが知られている（例えば、特許文献１参照。）。
【０００３】
特許文献１に記載のループ位置特定システムによれば、ＥｏＥネットワークにループが発生した場合に、スイッチの学習テーブルの読み出しをせずに、通信キャリア側でループ位置を迅速に特定することができる。
【先行技術文献】
【特許文献】
【０００４】
【特許文献１】特開２００８−２４５０８７号公報
【発明の概要】
【発明が解決しようとする課題】
【０００５】
しかし、特許文献１に記載されているようなループ位置特定システムにおいては、互いに異なる規格の通信網同士をスイッチングすることを想定しておらず、このループ位置特定システムでは互いに異なる規格の通信網同士を接続する場合にユーザデータに含まれるＭＡＣアドレスを用いずにスイッチングすることが困難であると共に、互いに異なる規格の通信網間を接続した場合に、フレームのループの発生を防止することが困難である。
【０００６】
したがって、本発明の目的は、互いに異なる規格の通信網間を中継することができるスイッチングハブ、フレーム中継方法、及びネットワーク中継機器を提供することにある。
【課題を解決するための手段】
【０００７】
本発明は、上記目的を達成するため、ＥｏＥ網とＰＢＢ網とを中継するスイッチングハブであって、Ｂａｃｋｂｏｎｅ  ＶＬＡＮ  ＩＤ（ＢＶＩＤ）若しくはｂａｃｋｂｏｎｅ  Ｓｅｒｖｉｃｅ  ｉｎｓｔａｎｃｅ  ＩＤ（ＩＳＩＤ）を含むＰＢＢフレームを伝送するＰＢＢ網に接続されるＰＢＢ網側送受信部を備え、ＰＢＢ網側送受信部は、ＢＶＩＤ若しくはＩＳＩＤに対応づけて内部ＶＬＡＮ  ＩＤ（内部ＶＩＤ）を格納している受信ＰＢＢ格納部と、ＰＢＢフレームのＢＶＩＤ若しくはＩＳＩＤを、ＰＢＢフレームに含まれているＢＶＩＤ若しくはＩＳＩＤに対応づけて受信ＰＢＢ格納部が格納している内部ＶＩＤに変換するＰＢＢ側ＶＬＡＮ変換部と、ＰＢＢ側ＶＬＡＮ変換部において変換された内部ＶＩＤを用い、ＰＢＢフレームを、ＰＢＢ側送受信部からＥｏＥ網側送受信部に中継可能な装置内フレームに変換するＰＢＢ側フレーム変換部とを有するスイッチングハブが提供される。
【０００８】
また、上記スイッチングハブは、ＰＢＢ網での宛先情報であるＢａｃｋｂｏｎｅ  Ｄｅｓｔｉｎａｔｉｏｎ  Ａｄｄｒｅｓｓ（ＢＤＡ）及びＰＢＢ網での送信元情報であるＢａｃｋｂｏｎｅ  Ｓｏｕｒｃｅ  Ａｄｄｒｅｓｓ（ＢＳＡ）により、宛先判定及び送信元学習を実行するＰＢＢ側宛先判定・送信元学習部を更に備えることもできる。
【０００９】
また、上記スイッチングハブは、ＥｏＥ網は、Ｅｘｔｅｎｄｅｄ  ＩＤ（ＥＩＤ）及びＳｅｒｖｉｃｅ  ｐｒｏｖｉｄｅｒ  ＶＬＡＮ  ＩＤ（ＳＶＩＤ）を含むＥｏＥフレームを伝送し、ＥｏＥ網側送受信部は、ＰＢＢ網側送受信部から受け取る装置内フレームを、ＥｏＥ網を伝送する形式を有し、ＰＢＢ側ＶＬＡＮ変換部において変換された内部ＶＩＤが付加された内部ＶＩＤ付ＥｏＥフレームに変換するＥｏＥ側フレーム変換部と、内部ＶＩＤに対応づけてＥＩＤ及びＳＶＩＤ、若しくはＳＶＩＤを格納している送信ＥｏＥ格納部と、内部ＶＩＤ付ＥｏＥフレームの内部ＶＩＤに対応づけて送信ＥｏＥ格納部が格納しているＥＩＤ及びＳＶＩＤ、若しくはＳＶＩＤを、内部ＶＩＤ付ＥｏＥフレームに格納するＥｏＥ側ＶＬＡＮ変換部とを有することができる。
【００１０】
また、上記スイッチングハブは、ＥｏＥ網側送受信部は、ＥＩＤ及びＳＶＩＤ、若しくはＳＶＩＤに対応づけて内部ＶＬＡＮ  ＩＤ（内部ＶＩＤ）を格納している受信ＥｏＥ格納部を更に有し、ＥｏＥ側ＶＬＡＮ変換部は、ＥｏＥフレームのＥＩＤ及びＳＶＩＤ、若しくはＳＶＩＤを、ＥｏＥフレームに含まれているＥＩＤ及びＳＶＩＤ、若しくはＳＶＩＤに対応づけて受信ＥｏＥ格納部が格納している内部ＶＩＤに変換し、ＥｏＥ側フレーム変換部は、ＥｏＥ側ＶＬＡＮ変換部において変換された内部ＶＩＤを用い、ＥｏＥフレームを、ＥｏＥ側送受信部からＰＢＢ網側送受信部に中継可能な装置内フレームに変換することもできる。
【００１１】
また、上記スイッチングハブは、ＥｏＥ網での宛先情報であるＥｏＥ  Ｄｅｓｔｉｎａｔｉｏｎ  Ａｄｄｒｅｓｓ（ＥＤＡ）及びＥｏＥ網での送信元情報であるＥｏＥ  Ｓｏｕｒｃｅ  Ａｄｄｒｅｓｓ（ＥＳＡ）により、宛先判定及び送信元学習を実行するＥｏＥ側宛先判定・送信元学習部を更に備えることもできる。
【００１２】
また、上記スイッチングハブは、ＰＢＢ網側送受信部は、内部ＶＩＤに対応づけてＢＶＩＤ若しくはＩＳＩＤを格納している送信ＰＢＢ格納部を更に有し、ＰＢＢ側フレーム変換部は、ＥｏＥ側ＶＬＡＮ変換部において変換された装置内フレームを、ＰＢＢ網を伝送する形式を有し、ＥｏＥ側ＶＬＡＮ変換部において変換された内部ＶＩＤが付加された内部ＶＩＤ付ＰＢＢフレームに変換し、ＰＢＢ側ＶＬＡＮ変換部は、内部ＶＩＤ付ＰＢＢフレームの内部ＶＩＤに対応づけて送信ＰＢＢ格納部が格納しているＢＶＩＤ若しくはＩＳＩＤを、内部ＶＩＤ付ＰＢＢフレームに格納することもできる。
【００１３】
また、上記スイッチングハブは、ＰＢＢ網側送受信部は、ＰＢＢ側ポートを有し、ＥｏＥ網側送受信部は、ＥｏＥ側ポートを有し、ＰＢＢ側ポートは、受信するＰＢＢフレームに含まれるＢＶＩＤ若しくはＩＳＩＤに対して予め規定された内部ＶＩＤが対応づけられ、ＥｏＥ側ポートは、受信するＥｏＥフレームに含まれるＥＩＤ及びＳＶＩＤに対して予め規定された内部ＶＩＤが対応づけられ、ＰＢＢ側ポートは、受信したＰＢＢフレームに含まれるＢＶＩＤ若しくはＩＳＩＤに対応する内部ＶＩＤと同一の内部ＶＩＤに対応するＥｏＥ側ポートと通信可能になり、ＥｏＥ側ポートは、受信したＥｏＥフレームに含まれるＥＩＤ及びＳＢＩＤに対応する内部ＶＩＤと同一の内部ＶＩＤに対応するＰＢＢ側ポートと通信可能になるようにすることもできる。
【００１４】
また、上記スイッチングハブは、ＥｏＥフレームは、Ｔｉｍｅ  ｔｏ  ｌｉｖｅ（ＴＴＬ）を含み、ＥｏＥ側フレーム変換部は、ＥｏＥ側フレーム変換部において変換された装置内フレームにＴＴＬを付加し、ＰＢＢ側フレーム変換部は、装置内フレームに付加されたＴＴＬを内部ＶＩＤ付ＰＢＢフレーム内に含ませ、ＰＢＢ側ＶＬＡＮ変換部は、ＴＴＬを含む内部ＶＩＤ付ＰＢＢフレームを、ＴＴＬを含むＰＢＢフレームに変換することもできる。
【００１５】
また、上記スイッチングハブは、ＰＢＢ側フレーム変換部は、ＰＢＢフレームにＴＴＬが含まれていない場合、予め定められたＴＴＬ（デフォルトＴＴＬ）を装置内フレームに付加し、ＥｏＥ側フレーム変換部は、デフォルトＴＴＬを内部ＶＩＤ付ＥｏＥフレーム内に含ませ、ＥｏＥ側ＶＬＡＮ変換部は、デフォルトＴＴＬを含む内部ＶＩＤ付ＥｏＥフレームを、デフォルトＴＴＬを含むＥｏＥフレームに変換することもできる。
【００１６】
また、上記スイッチングハブは、ＰＢＢ側フレーム変換部は、内部ＶＩＤ付ＰＢＢフレームに、ＴＴＬ若しくはデフォルトＴＴＬがＰＢＢフレームに含まれるか否かを示すＴＴＬ用フラグを含ませることもできる。
【００１７】
また、本発明は上記目的を達成するため、情報に、第１宛先情報、第１送信元情報、及び情報を識別する第１識別情報を含む第１カプセル化ヘッダを付加して第１カプセル化情報とし、第１カプセル化情報を中継する第１通信網と、第１通信網と異なる規格であって、情報に、第２宛先情報、第２送信元情報、及び情報を識別する第２識別情報を含む第２カプセル化ヘッダを付加して第２カプセル化情報とし、第２カプセル化情報を中継する第２通信網とを中継するネットワーク中継機器であって、第１通信網に接続する第１通信網側送受信部と、第２通信網に接続する第２通信網側送受信部とを備え、第１通信網側送受信部は、第１識別情報に対応づけて内部識別情報を格納している受信第１通信網格納部と、第１識別情報を、第１識別情報に対応づけて受信第１通信網格納部が格納している内部識別情報に変換する第１通信網側識別情報変換部と、第１通信網側識別情報変換部において変換された内部識別情報を用いて、第１カプセル化情報を、第１通信網側送受信部から第２通信網側送受信部に中継可能な装置内情報に変換する第１通信網側情報変換部と、第１宛先情報及び第１送信元情報により、宛先判定と送信元学習とを実行する第１宛先判定・送信元学習部とを有し、第２通信網側送受信部は、第１通信網側送受信部から受け取る装置内情報を、第１通信網側識別情報変換部において変換された内部識別情報が付加された内部識別情報付第２カプセル化情報に変換する第２通信網側情報変換部と、内部識別情報に対応づけて第２識別情報を格納している送信第２通信網格納部と、内部識別情報付第２カプセル化情報の内部識別情報に対応づけて送信第２通信網格納部が格納している第２識別情報を、内部識別情報付第２カプセル化情報に格納する第２通信網側識別情報変換部とを有する、ネットワーク中継機器が提供される。
【発明の効果】
【００１８】
本発明に係るスイッチングハブによれば、互いに異なる規格の通信網間を中継することができるスイッチングハブ、フレーム中継方法、及びネットワーク中継機器を提供できる。
【図面の簡単な説明】
【００１９】
【図１】本発明の実施の形態に係るスイッチングハブの構成を示す図である。
【図２】本発明の実施の形態に係るスイッチングハブが備えるＰＢＢ網側ラインカードの構成を示す図である。
【図３】本発明の実施の形態に係るスイッチングハブが備えるＥｏＥ網側ラインカードの構成を示す図である。
【図４】（ａ）及び（ｂ）は、本発明の実施の形態に係る受信ＰＢＢ格納部のデータ構成を示す図である。
【図５】本発明の実施の形態に係る送信ＰＢＢ格納部のデータ構成を示す図である。
【図６】（ａ）は本発明の実施の形態に係る受信ＥｏＥ格納部のデータ構成を示す図であり、（ｂ）は本発明の実施の形態に係る送信ＥｏＥ格納部のデータ構成を示す図である。
【図７】ＰＢＢフレーム、装置内フレーム、及びＥｏＥフレームの構成を示す図である。
【図８】本発明の実施の形態に係るスイッチングハブ内において構築されるＶＰＮを示す図である。
【図９Ａ】ＰＢＢフレームにＴＴＬを埋め込む方法を示す図である。
【図９Ｂ】ＴＴＬを含むＰＢＢフレームとＥｏＥフレームとの間でＴＴＬが引き継がれる工程を示す図である。
【図９Ｃ】ＴＴＬを含まないＰＢＢフレームとＥｏＥフレームとの間でＴＴＬが引き継がれる工程を示す図である。
【発明を実施するための形態】
【００２０】
［実施の形態の概要］
ＥｏＥ網とＰＢＢ網とを中継するスイッチングハブにおいて、第１識別情報としてのＢａｃｋｂｏｎｅ  ＶＬＡＮ  ＩＤ（ＢＶＩＤ）若しくはｂａｃｋｂｏｎｅ  Ｓｅｒｖｉｃｅ  ｉｎｓｔａｎｃｅ  ＩＤ（ＩＳＩＤ）を含むＰＢＢフレームを伝送する前記ＰＢＢ網に接続されるＰＢＢ網側送受信部を備え、前記ＰＢＢ網側送受信部は、前記ＢＶＩＤ若しくは前記ＩＳＩＤに対応づけて内部ＶＬＡＮ  ＩＤ（内部ＶＩＤ）を格納している受信ＰＢＢ格納部と、前記ＰＢＢフレームの前記ＢＶＩＤ若しくは前記ＩＳＩＤを、前記ＰＢＢフレームに含まれている前記ＢＶＩＤ若しくは前記ＩＳＩＤに対応づけて前記受信ＰＢＢ格納部が格納している前記内部ＶＩＤに変換するＰＢＢ側ＶＬＡＮ変換部と、前記ＰＢＢ側ＶＬＡＮ変換部において変換された前記内部ＶＩＤを用い、前記ＰＢＢフレームを、前記ＰＢＢ側送受信部から前記ＥｏＥ網側送受信部に中継可能な装置内フレームに変換するＰＢＢ側フレーム変換部とを有するスイッチングハブが提供される。
【００２１】
［実施の形態］
図１は、本発明の実施の形態に係るスイッチングハブの構成の概要を示し、図２は、本発明の実施の形態に係るスイッチングハブが備えるＰＢＢ網側ラインカードの構成の概要を示す。
【００２２】
（スイッチングハブ１の動作の概要）
本発明の実施の形態に係るネットワーク中継機器としてのスイッチングハブ１は、第１通信網と第１通信網とは異なる規格の第２通信網とを中継するスイッチングハブである。第１通信網は、例えば、Ｅｔｈｅｒｎｅｔ  ｏｖｅｒ  Ｅｔｈｅｒｎｅｔ（ＥｏＥ）網であり（ただし、Ｅｔｈｅｒｎｅｔは登録商標である）、第２通信網は、例えば、ＩＥＥＥ８０２．１ａｈで標準規格化されているＰｒｏｖｉｄｅｒ  Ｂａｃｋｂｏｎｅ  Ｂｒｉｄｇｉｎｇ（ＰＢＢ）網である。なお、第１通信網がＰＢＢ網であり、第２通信網がＥｏＥ網であってもよい。以下、本実施の形態では、ＥｏＥ網とＰＢＢ網とを中継するネットワーク中継機器としてのスイッチングハブ１を例として説明する。
【００２３】
スイッチングハブ１は、ＰＢＢ網に接続されるＰＢＢ網側送受信部（第１通信網側送受信部）としてのＰＢＢ網側ラインカード１０と、ＥｏＥ網に接続されるＥｏＥ網側送受信部（第２通信網側送受信部）としてのＥｏＥ網側ラインカード２０とを備える。ＰＢＢ網側ラインカード１０及びＥｏＥ網側ラインカード２０は、ＰＢＢ網から受け取った情報であるＰＢＢフレーム又はＥｏＥ網から受け取った情報であるＥｏＥフレームを、ＰＢＢ網側ラインカード１０とＥｏＥ網側ラインカード２０との間における中継が可能な形式を有する装置内フレームに変換する。これにより、スイッチングハブ１は、互いに異なる通信網に対応したラインカード間での中継、すなわちスイッチングを可能にする。
【００２４】
（スイッチングハブ１の構成の概要）
スイッチングハブ１は、ＰＢＢ網側ラインカード１０と、ＥｏＥ網側ラインカード２０と、ＰＢＢ網側ラインカード１０とＥｏＥ網側ラインカード２０との間でフレーム等の情報を中継する通信経路としてのフレーム中継経路３０とを備える。すなわち、本実施の形態に係るスイッチングハブ１は、シャーシ型のスイッチングハブである。ＰＢＢ網側ラインカード１０は、伝送路４０に接続するＰＢＢ側ポート１００ａとフレーム中継経路３０に接続するＰＢＢ側ポート１００ｂとを有する。ＰＢＢ網側ラインカード１０は、伝送路（ただし、伝送路４０とは異なる伝送路）に接続するＰＢＢ側ポートを複数有することもできる。また、ＥｏＥ網側ラインカード２０は、伝送路４２に接続するＥｏＥ側ポート２００ａとフレーム中継経路３０に接続するＥｏＥ側ポート２００ｂとを有する。ＥｏＥ網側ラインカード２０は、伝送路（ただし、伝送路４２とは異なる伝送路）に接続するＥｏＥ側ポートを複数有することもできる。なお、図１においてスイッチングハブ１はＰＢＢ網側ラインカード１０とＥｏＥ網側ラインカード２０とを１枚ずつ備えているが、ＰＢＢ網側ラインカード１０とＥｏＥ網側ラインカード２０との枚数はそれぞれ１枚に限られない。すなわち、スイッチングハブ１は、ＰＢＢ網側ラインカード１０とＥｏＥ網側ラインカード２０とをそれぞれ複数枚備えることもできる。
【００２５】
（ＰＢＢ網側ラインカード１０の構成の概要）
ＰＢＢ網側ラインカード１０は、ＰＢＢ網に接続している伝送路４０に接続され、外部との間で第１識別情報としてのＢａｃｋｂｏｎｅ  ＶＬＡＮ  ＩＤ（ＢＶＩＤ）若しくはｂａｃｋｂｏｎｅ  Ｓｅｒｖｉｃｅ  ｉｎｓｔａｎｃｅ  ＩＤ（ＩＳＩＤ）を含むＰＢＢフレームを送受信するＰＢＢ側ポート１００ａと、フレーム中継経路３０との間で装置内フレームを送受信するＰＢＢ側ポート１００ｂとを有する。また、ＰＢＢ網側ラインカード１０は、ＰＢＢ側のＶＬＡＮ変換回路である第１通信網側識別情報変換部としてのＰＢＢ側ＶＬＡＮ変換部１１０と、ＰＢＢフレームが所定の形式に合致しているか否かを判断してＰＢＢフレームにフィルタリング処理を施すＰＢＢ処理部１２０と、第１通信網側情報変換部としてのＰＢＢ側フレーム変換部１３０と、宛先判定と送信元学習とを実行するＰＢＢ側宛先判定・送信元学習部１３２と、ＭＡＣアドレスと内部ＶＩＤとポートＩＤ（若しくは／及びＬＡＧ  ＩＤ）との対応関係を格納するＰＢＢ側ＦＤＢ１３４と、ＰＢＢ側のＶＬＡＮ変換テーブルである受信ＰＢＢ格納部１４０及び送信ＰＢＢ格納部１４５とを有する。
【００２６】
（受信ＰＢＢ格納部１４０）
図４（ａ）及び（ｂ）は、本発明の実施の形態に係る受信ＰＢＢ格納部のデータ構成の例を示す。
【００２７】
本実施の形態に係るＰＢＢ網側ラインカード１０が有する受信第１通信網格納部としての受信ＰＢＢ格納部１４０は、ＢＶＩＤ若しくはＩＳＩＤに対応づけて装置内ＶＬＡＮ  ＩＤである内部識別情報としての内部ＶＬＡＮ  ＩＤ（内部ＶＩＤ）を格納している。具体的に、図４（ａ）は、インデックスにＢＶＩＤを用いた受信ＰＢＢ格納部１４０ａのデータ構成の一例を示す。すなわち、受信ＰＢＢ格納部１４０ａは、ＢＶＩＤに対応づけてデータである内部ＶＩＤを格納する。図４（ａ）の例においては、受信ＰＢＢ格納部１４０ａは、値が１００であるＢＶＩＤに対応づけて値が１２７である内部ＶＩＤを格納しており、値が２００であるＢＶＩＤに対応づけて値が４０９３である内部ＶＩＤを格納している。
【００２８】
また、図４（ｂ）は、インデックスにＩＳＩＤを用いた受信ＰＢＢ格納部１４０ｂのデータ構成の一例を示す。すなわち、受信ＰＢＢ格納部１４０ｂは、ＩＳＩＤに対応づけてデータである内部ＶＩＤを格納する。図４（ｂ）の例においては、受信ＰＢＢ格納部１４０ｂは、値が０ｘ０００１１１であるＩＳＩＤに対応づけて値が１２７である内部ＶＩＤを格納しており、値が０ｘ０００２２２であるＩＳＩＤに対応づけて値が４０９３である内部ＶＩＤを格納している。
【００２９】
本実施の形態に係るＰＢＢ網側ラインカード１０は、受信ＰＢＢ格納部１４０ａ及び受信ＰＢＢ格納部１４０ｂのいずれか一方を使用することを任意に選択することができる。受信ＰＢＢ格納部１４０ａ又は受信ＰＢ格納部１４０ｂの選択は、ポート毎又はラインカード単位で行うことができる。
【００３０】
（送信ＰＢＢ格納部１４５）
図５は、本発明の実施の形態に係る送信ＰＢＢ格納部のデータ構成の一例を示す。
【００３１】
ＰＢＢ網側ラインカード１０が有する送信ＰＢＢ格納部１４５は、インデックスである内部ＶＩＤに対応づけてデータであるＢＶＩＤ及びＩＳＩＤを格納している。図５の例においては、送信ＰＢＢ格納部１４５は、値が１２７である内部ＶＩＤに対応づけて値が１００のＢＶＩＤ及び値が０ｘ０００１１１のＩＳＩＤを格納しており、値が４０９３である内部ＶＩＤに対応づけて値が２００のＢＶＩＤ及び値が０ｘ０００２２２のＩＳＩＤを格納している。
【００３２】
（ＰＢＢ側宛先判定・送信元学習部１３２）
第１宛先判定・送信元学習部としてのＰＢＢ側宛先判定・送信元学習部１３２は、ＰＢＢ網内での宛先情報である第１宛先情報としてのＢａｃｋｂｏｎｅ  Ｄｅｓｔｉｎａｔｉｏｎ  Ａｄｄｒｅｓｓ（ＢＤＡ）に格納されたＭＡＣアドレスと内部ＶＩＤによりＰＢＢ側ＦＤＢ１３４を検索する。そして、ＰＢＢ側宛先判定・送信元学習部１３２は、当該ＭＡＣアドレスと内部ＶＩＤに対応づけてＰＢＢ側ＦＤＢ１３４に格納されているポートＩＤ（若しくは／及びＬＡＧ  ＩＤ）を取得して、当該ポートＩＤ（若しくは／及びＬＡＧ  ＩＤ）を装置内ヘッダの所定の領域（図示しない）に格納することにより宛先判定を実行する。また、ＰＢＢ側宛先判定・送信元学習部１３２は、ＰＢＢ網内での送信元情報である第１送信元情報としてのＢａｃｋｂｏｎｅ  Ｓｏｕｒｃｅ  Ａｄｄｒｅｓｓ（ＢＳＡ）に格納されたＭＡＣアドレスとポートＩＤ（若しくは／及びＬＡＧ  ＩＤ）との対応関係をＰＢＢ側ＦＤＢ１３４に登録することにより送信元学習を実行する。
【００３３】
（ＥｏＥ網側ラインカード２０の構成の概要）
図３は、本発明の実施の形態に係るスイッチングハブが備えるＥｏＥ網側ラインカードの構成の概要を示す。
【００３４】
ＥｏＥ網側ラインカード２０は、ＥｏＥ網に接続している伝送路４２に接続され、外部との間で第２識別情報としてのＥｘｔｅｎｄｅｄ  ＩＤ（ＥＩＤ）及びＳｅｒｖｉｃｅ  ｐｒｏｖｉｄｅｒ  ＶＬＡＮ  ＩＤ（ＳＶＩＤ）を含むＥｏＥフレームを送受信するＥｏＥ側ポート２００ａと、フレーム中継経路３０との間で装置内フレームを送受信するＥｏＥ側ポート２００ｂとを有する。また、ＥｏＥ網側ラインカード２０は、ＥｏＥ側のＶＬＡＮ変換回路である第２通信網側情報変換部としてのＥｏＥ側ＶＬＡＮ変換部２１０と、ＥｏＥフレームが所定の形式に合致しているか否かを判断してＥｏＥフレームにフィルタリング処理を施すＥｏＥ処理部２２０と、第２通信網側識別情報変換部としてのＥｏＥ側フレーム変換部２３０と、宛先判定と送信元学習とを実行するＥｏＥ側宛先判定・送信元学習部２３２と、ＭＡＣアドレスと内部ＶＩＤとポートＩＤ（若しくは／及びＬＡＧ  ＩＤ）との対応関係を格納するＥｏＥ側ＦＤＢ２３４と、ＥｏＥ側のＶＬＡＮ変換テーブルである受信ＥｏＥ格納部２４０及び送信ＥｏＥ格納部２４５とを有する。
【００３５】
（受信ＥｏＥ格納部２４０及び送信ＥｏＥ格納部２４５）
図６（ａ）は、本発明の実施の形態に係る受信ＥｏＥ格納部のデータ構成の一例を示し、図６（ｂ）は、本発明の実施の形態に係る送信ＥｏＥ格納部のデータ構成の一例を示す。
【００３６】
ＥｏＥ網側ラインカード２０が有する受信ＥｏＥ格納部２４０は、インデックスであるＥＩＤ及びＳＶＩＤに対応づけてデータである内部ＶＩＤを格納している。図６（ａ）の例においては、受信ＥｏＥ格納部２４０は、値が８であるＥＩＤ及び値が１０であるＳＶＩＤに対応づけて値が１２７である内部ＶＩＤを格納しており、値が９であるＥＩＤ及び値が２０であるＳＶＩＤに対応づけて値が４０９３である内部ＶＩＤを格納している。
受信ＥｏＥ格納部２４０には、ＥＩＤを省略し、インデックスをＳＶＩＤのみとしてもよい。
【００３７】
また、ＥｏＥ網側ラインカード２０が有する送信第２通信網格納部としての送信ＥｏＥ格納部２４５は、インデックスである内部ＶＩＤに対応づけてデータであるＥＩＤ及びＳＶＩＤを格納している図６（ｂ）の例においては、送信ＥｏＥ２４５は、値が１２７である内部ＶＩＤに対応づけて値が８であるＥＩＤ及び値が１０であるＳＶＩＤを格納しており、値が４０９３である内部ＶＩＤに対応づけて値が９であるＥＩＤ及び値が２０であるＳＶＩＤを格納している。
【００３８】
（ＥｏＥ側宛先判定・送信元学習部２３２）
第２宛先判定・送信元学習部としてのＥｏＥ側宛先判定・送信元学習部２３２は、ＥｏＥ網内での宛先情報である第２宛先情報としてのＥｏＥ  Ｄｅｓｔｉｎａｔｉｏｎ  Ａｄｄｒｅｓｓ（ＥＤＡ）に格納されたＭＡＣアドレスと内部ＶＩＤによりＥｏＥ側ＦＤＢ２３４を検索する。そして、ＥｏＥ側宛先判定・送信元学習部２３２は、当該ＭＡＣアドレスと内部ＶＩＤに対応づけてＥｏＥ側ＦＤＢ２３４に格納されているポートＩＤ（若しくは／及びＬＡＧ  ＩＤ）を取得して、当該ポートＩＤ（若しくは／及びＬＡＧ  ＩＤ）を装置内ヘッダの所定の領域（図示しない）に格納することにより宛先判定を実行する。また、ＥｏＥ側宛先判定・送信元学習部２３２は、ＥｏＥ網内での送信元情報である第２送信元情報としてのＥｏＥ  Ｓｏｕｒｃｅ  Ａｄｄｒｅｓｓ（ＥＳＡ）に格納されたＭＡＣアドレスとポートＩＤ（若しくは／及びＬＡＧ  ＩＤ）との対応関係をＥｏＥ側ＦＤＢ２３４に登録することにより送信元学習を実行する。
【００３９】
（フレーム中継経路３０）
フレーム中継経路３０は、ＰＢＢ網側ラインカード１０又はＥｏＥ網側ラインカード２０から受け取った装置内フレームを、装置内フレームの装置内ヘッダに格納された宛先のポートＩＤ（若しくは／及びＬＡＧ  ＩＤ）に基づいて、当該ポートＩＤ（若しくは／及びＬＡＧ  ＩＤ）に対応したラインカードに中継する。
【００４０】
（ＰＢＢフレームからＥｏＥフレームへの変換について）
図７は、ＰＢＢフレーム（第１カプセル化情報）、装置内フレーム（装置内情報）、及びＥｏＥフレーム（第２カプセル化情報）の構成の例を示す。ＰＢＢフレーム３００は、ＰＢＢカプセル化ヘッダ（第１カプセル化ヘッダ）（ａ）とユーザーフレームとから構成される。また、装置内フレーム３２０は、装置内ヘッダ（ｂ）と、Ｂ／Ｅ−ＤＡと、Ｂ／Ｅ−ＳＡと、ユーザーフレームとから構成される。更に、ＥｏＥフレーム３４０は、ＥｏＥカプセル化ヘッダ（第２カプセル化ヘッダ）（ｃ）とユーザーフレームとから構成される。
【００４１】
装置内ヘッダ（ｂ）は、内部ＶＩＤの領域と、内部ＤＥＩ（Ｄｒｏｐ  Ｅｌｉｇｉｂｌｅ  Ｉｎｄｉｃａｔｉｏｎ）／ＰＣＰ（Ｐｒｉｏｒｉｔｙ  Ｃｏｄｅ  Ｐｏｉｎｔ）の領域と、Ｂ／Ｅ−ＴＴＬの領域とを有する。また、装置内ヘッダ（ｂ）は、図示していない、受信したポートのポートＩＤを格納する領域と、宛先となるポートのポートＩＤを格納する領域とを有する。
【００４２】
以下、図７を参照しつつ、スイッチングハブ１においてＰＢＢフレーム３００がＥｏＥフレーム３４０に変換される工程を説明する。
【００４３】
まず、ＰＢＢ側ポート１００ａが外部のＰＢＢ網から受信したＰＢＢフレーム３００は、ＰＢＢ側ポート１００ａからＰＢＢ側ＶＬＡＮ変換部１１０に供給される。ＰＢＢ側ＶＬＡＮ変換部１１０は、ＰＢＢフレーム３００のＢＶＩＤ若しくはＩＳＩＤを、ＰＢＢフレーム３００に含まれているＢＶＩＤ若しくはＩＳＩＤに対応づけて受信ＰＢＢ格納部１４０が格納している内部ＶＩＤに変換する。
【００４４】
すなわち、ＰＢＢ側ＶＬＡＮ変換部１１０は、まず、ＰＢＢ側ポート１００ａから受け取ったＰＢＢフレーム３００の先頭に装置内ヘッダを付加することにより装置内ヘッダ付ＰＢＢフレームを生成する。装置内ヘッダには、受信したポートのポートＩＤを格納する。また、ＰＢＢ側ＶＬＡＮ変換部１１０は、ＰＢＢフレーム３００に含まれるＢＶＩＤ若しくはＩＳＩＤを参照する。そして、ＰＢＢ側ＶＬＡＮ変換部１１０は、参照したＢＶＩＤ若しくはＩＳＩＤに対応づけて受信ＰＢＢ格納部１４０に格納されている内部ＶＩＤを取得する。続いて、ＰＢＢ側ＶＬＡＮ変換部１１０は、装置内ヘッダ付ＰＢＢフレームの装置内ヘッダに、受信ＰＢＢ格納部１４０から取得した内部ＶＩＤを格納することにより、内部ＶＩＤ付ＰＢＢフレームを生成する。ＰＢＢ側ＶＬＡＮ変換部１１０は、内部ＶＩＤ付ＰＢＢフレームをＰＢＢ処理部１２０に供給する。ＰＢＢ側ＶＬＡＮ変換部１１０は、ＩＳＩＤを内部ＶＩＤに変換する場合、所定のＢＶＩＤの値を有するＰＢＢフレーム以外は廃棄するというフィルタリングを行ってもよい。
【００４５】
なお、ＰＢＢフレーム３００に含まれるデータとしては、一例として、ＢＤＡ、ＢＳＡ、Ｂｔａｇ、Ｉ−ＴＰＩＤ、Ｉ−ＤＥＩ／ＰＣＰ、Ｉ−ＮＣＡ／ＲＥＳ１／ＲＥＳ２、ＩＳＩＤ、ＣＤＡ、ＣＳＡ、及びＣ−Ｄａｔａ等が挙げられる。
【００４６】
ＰＢＢ処理部１２０は、内部ＶＩＤ付ＰＢＢフレームのデータ形式が所定のＰＢＢフレームのデータ形式に合致しているか否かを判断する。ＰＢＢ処理部１２０は、当該データ形式に合致している内部ＶＩＤ付ＰＢＢフレームをＰＢＢ側フレーム変換部１３０に供給する。
【００４７】
ＰＢＢ側フレーム変換部１３０は、ＰＢＢフレーム３００の「Ｂｔａｇ」から「ＩＳＩＤ」までの領域を削除し（すなわち、ＰＢＢカプセル化ヘッダの「ＢＤＡ」及び「ＢＳＡ」を残し）、ＰＢＢフレーム３００を、ＰＢＢ側ラインカード１０からＥｏＥ網側ラインカード２０にスイッチング可能な装置内フレーム３２０に変換する。ＰＢＢフレーム３００の「Ｂｔａｇ」から「ＩＳＩＤ」までの領域は、削除せずに、内部ヘッダに移動させてもよい。ＰＢＢ側フレーム変換部１３０は、装置内フレーム３２０をＰＢＢ側宛先判定・送信元学習部１３２に供給する。
【００４８】
ＰＢＢ側宛先判定・送信元学習部１３２は、装置内フレーム３２０のＢＤＡに格納されたＭＡＣアドレスと内部ＶＩＤとにより宛先判定を行って、宛先となるポートのポートＩＤを装置内ヘッダに格納する。また、ＰＢＢ側宛先判定・送信元学習部１３２は、装置内フレーム３２０のＢＳＡに格納されたＭＡＣアドレスと内部ＶＩＤと受信したポートのポートＩＤとをＰＢＢ側ＦＤＢ１３４に登録して、送信元学習を行う。その後、ＰＢＢ側宛先判定・送信元学習部１３２は、装置内フレーム３２０をＰＢＢ側ポート１００ｂに供給する。
【００４９】
ＰＢＢ側ポート１００ｂは、装置内フレーム３２０を、フレーム中継経路３０を介してＥｏＥ網側ラインカード２０に向けて送信する。
【００５０】
ＥｏＥ網側ラインカード２０のＥｏＥ側ポート２００ｂは、ＰＢＢ網側ラインカード１０からの装置内フレーム３２０を受信する。そして、ＥｏＥ側ポート２００ｂは、受信した装置内フレーム３２０をＥｏＥ側フレーム変換部２３０に供給する。
【００５１】
ＥｏＥ側フレーム変換部２３０は、当該装置内フレーム３２０を、ＥｏＥフレーム３４０の先頭に装置内ヘッダが付加された装置内ヘッダ付ＥｏＥフレームに変換する。この場合においてＥｏＥ側フレーム変換部２３０は、ＰＢＢフレーム３００の「ＢＤＡ」をＥｏＥフレーム３４０の「ＥＤＡ」にそのまま用い、ＰＢＢフレーム３００の「ＢＳＡ」をＥｏＥフレーム３４０の「ＥＳＡ」にそのまま用いる。更に、ＥｏＥ側フレーム変換部２３０は、「Ｓｔａｇ」から「ＥＩＤ」までの領域を挿入、付加する。これにより、ＥｏＥ側フレーム変換部２３０は、装置内フレーム３２０を、図７に示すＥｏＥフレーム３４０に内部ＶＩＤが付加された構造を有する内部ＶＩＤ付ＥｏＥフレームに変換する。なお、この場合においてＥｏＥ側フレーム変換部２３０は、ＥＩＤの値が格納される領域であって、ＥＩＤの値が格納されていない領域を内部ＶＩＤ付ＥｏＥフレーム内に設ける。そして、ＥｏＥ側フレーム変換部２３０は、内部ＶＩＤ付ＥｏＥフレームをＥｏＥ処理部２２０に供給する。
【００５２】
ＥｏＥ処理部２２０は、内部ＶＩＤ付ＥｏＥフレームのデータ形式が所定のＥｏＥフレームのデータ形式に合致しているか否かを判断する。ＥｏＥ処理部２２０は、当該データ形式に合致している内部ＶＩＤ付ＥｏＥフレームをＥｏＥ側ＶＬＡＮ変換部２１０に供給する。なお、ここのＥｏＥ処理部２２０の処理は、省略することもできる。
【００５３】
ＥｏＥ側ＶＬＡＮ変換部２１０は、送信ＥｏＥ格納部２４５からＥＩＤの値とＳＶＩＤの値とを取得し、取得したＥＩＤの値をＥｏＥフレーム３４０のＥＩＤの領域に格納し、取得したＳＶＩＤの値をＥｏＥフレーム３４０のＳｔａｇの領域の所定の箇所に格納する。更に、ＥｏＥ側ＶＬＡＮ変換部２１０は、装置内ヘッダを削除する。そして、ＥｏＥ側ＶＬＡＮ変換部２１０は、ＥｏＥフレーム３４０をＥｏＥ側ポート２００ａに供給する。ＥｏＥ側ポート２００ａは、伝送路４２から外部のＥｏＥ網に当該ＥｏＥフレーム３４０を送信する。
【００５４】
なお、送信ＥｏＥ格納部２４５が格納しているＥＩＤ及びＳＶＩＤの値が無効である場合、ＥｏＥ側フレーム変換部２１０は、内部ＶＩＤ若しくはデフォルトのＥＩＤ及びデフォルトのＳＶＩＤを、ＥＩＤ及びＳＶＩＤの値として用いることができる。また、ＥｏＥフレーム３４０に含まれるデータとしては、一例として、ＥＤＡ、ＥＳＡ、Ｓｔａｇ（なお、ＳｔａｇにはＳＶＩＤが含まれる）、Ｅ−ＴＰＩＤ、ＴＴＬ、ＥＩＤ、ＣＤＡ、ＣＳＡ、及びＣ−Ｄａｔａ等が挙げられる。
【００５５】
（ＥｏＥフレームからＰＢＢフレームへの変換について）
以下、図７を参照しつつ、スイッチングハブ１においてＥｏＥフレーム３４０がＰＢＢフレーム３００に変換される工程を説明する。
【００５６】
まず、ＥｏＥ側ポート２００ａが外部のＥｏＥ網から受信したＥｏＥフレーム３４０は、ＥｏＥ側ポート２００ａからＥｏＥ側ＶＬＡＮ変換部２１０に供給される。ＥｏＥ側ＶＬＡＮ変換部２１０は、ＥｏＥフレーム３４０のＥＩＤ及びＳＶＩＤを、ＥｏＥフレーム３４０に含まれているＥＩＤ及びＳＶＩＤに対応づけて受信ＥｏＥ格納部２４０が格納している内部ＶＩＤに変換する。
【００５７】
すなわち、ＥｏＥ側ＶＬＡＮ変換部２１０は、まず、ＥｏＥ側ポート２００ａから受け取ったＥｏＥフレーム３４０の先頭に装置内ヘッダを付加し、装置内ヘッダ付ＥｏＥフレームを生成する。装置内ヘッダには、受信したポートのポートＩＤを格納する。また、ＥｏＥ側ＶＬＡＮ変換部２１０は、ＥｏＥフレーム３４０に含まれるＥＩＤ及びＳＶＩＤに対応づけて受信ＥｏＥ格納部２４０に格納されている内部ＶＩＤを取得する。そして、ＥｏＥ側ＶＬＡＮ変換部２１０は、受信ＥｏＥ格納部２４０から取得した内部ＶＩＤを装置内ヘッダに格納することにより、内部ＶＩＤ付ＥｏＥフレームを生成する。ＥｏＥ側ＶＬＡＮ変換部２１０は、内部ＶＩＤ付ＥｏＥフレームをＥｏＥ処理部２２０に供給する。ＥｏＥ側ＶＬＡＮ変換部２１０は、受信ＥｏＥ格納部２４０のインデックスをＳＶＩＤのみとし、ＳＶＩＤを内部ＶＩＤに変換する場合、所定のＥＩＤの値を有するＥｏＥフレーム以外は廃棄するというフィルタリングを行ってもよい。
【００５８】
ＥｏＥ処理部２２０は、内部ＶＩＤ付ＥｏＥフレームのデータ形式が所定のＥｏＥフレームのデータ形式に合致しているか否かを判断する。ＥｏＥ処理部２２０は、当該データ形式に合致している内部ＶＩＤ付ＥｏＥフレームをＥｏＥ側フレーム変換部２３０に供給する。
【００５９】
ＥｏＥ側フレーム変換部２３０は、ＥｏＥフレーム３４０の「Ｓｔａｇ」から「ＥＩＤ」の領域を削除することにより（すなわち、ＥｏＥフレーム３４０の「ＥＤＡ」及び「ＥＳＡ」の領域を残すことにより）、ＥｏＥフレーム３４０を、ＥｏＥ側ラインカード２０からＰＢＢ網側ラインカード１０にスイッチング可能な装置内フレーム３２０に変換する。ＥｏＥフレーム３４０の「Ｓｔａｇ」から「ＥＩＤ」の領域は、削除せずに、内部ヘッダに移動させてもよい。ＥｏＥ側フレーム変換部２３０は、装置内フレーム３２０をＥｏＥ側宛先判定・送信元学習部２３２に供給する。
【００６０】
ＥｏＥ側宛先判定・送信元学習部２３２は、装置内フレーム３２０のＥＤＡに格納されたＭＡＣアドレスと内部ＶＩＤにより宛先判定を行って、宛先となるポートのポートＩＤを装置内ヘッダに格納する。また、ＥｏＥ側宛先判定・送信元学習部２３２は、装置内フレーム３２０のＥＳＡに格納されたＭＡＣアドレスと内部ＶＩＤと受信したポートのポートＩＤとをＥｏＥ側ＦＤＢ２３４に登録して、送信元学習を行う。その後、ＥｏＥ側宛先判定・送信元学習部２３２は、装置内フレーム３２０をＥｏＥ側ポート２００ｂに供給する。ＥｏＥ側ポート２００ｂは、装置内フレーム３２０を、フレーム中継経路３０を介してＰＢＢ網側ラインカード１０に向けて送信する。
【００６１】
ＰＢＢ網側ラインカード１０のＰＢＢ側ポート１００ｂは、ＥｏＥ網側ラインカード２０からの装置内フレーム３２０を受信する。そして、ＰＢＢ側ポート１００ｂは、受信した装置内フレーム３２０をＰＢＢ側フレーム変換部１３０に供給する。
【００６２】
ＰＢＢ側フレーム変換部１３０は、当該装置内フレーム３２０を、ＰＢＢフレーム３００の先頭に装置内ヘッダが付加された装置内ヘッダ付ＰＢＢフレームに変換する。この場合においてＰＢＢ側フレーム変換部１３０は、ＥｏＥフレーム３４０の「ＥＤＡ」をＰＢＢフレーム３００の「ＢＤＡ」にそのまま用い、ＥｏＥフレーム３４０の「ＥＳＡ」をＰＢＢフレーム３００の「ＢＳＡ」にそのまま用いる。更に、ＰＢＢ側フレーム変換部１３０は、「Ｂｔａｇ」から「ＩＳＩＤ」までの領域を挿入、付加する。これにより、ＰＢＢ側フレーム変換部１３０は、装置内フレーム３２０を、図７に示すＰＢＢフレーム３００に内部ＶＩＤが付加された構造を有する内部ＶＩＤ付ＰＢＢフレームに変換する。なお、この場合においてＰＢＢ側フレーム変換部１３０は、ＩＳＩＤ若しくはＢＶＩＤの値が格納される領域であって、ＩＳＩＤ若しくはＢＶＩＤの値が格納されていない領域を内部ＶＩＤ付ＰＢＢフレーム内に設ける。そして、ＰＢＢ側フレーム変換部１３０は、内部ＶＩＤ付ＰＢＢフレームをＰＢＢ処理部１２０に供給する。
【００６３】
ＰＢＢ処理部１２０は、内部ＶＩＤ付ＰＢＢフレームのデータ形式が所定のＰＢＢフレームのデータ形式に合致しているか否かを判断する。ＰＢＢ処理部１２０は、当該データ形式に合致している内部ＶＩＤ付ＰＢＢフレームをＰＢＢ側ＶＬＡＮ変換部１１０に供給する。なお、ここのＰＢＢ処理部１２０の処理は、省略することもできる。
【００６４】
ＰＢＢ側ＶＬＡＮ変換部１１０は、内部ＶＩＤ付ＰＢＢフレームの内部ＶＩＤに対応づけて送信ＰＢＢ格納部１４５が格納しているＩＳＩＤ若しくはＢＶＩＤの値を、ＰＢＢフレーム３００のＩＳＩＤ若しくはＢＶＩＤの値が格納される領域に格納する。その後、ＰＢＢ側ＶＬＡＮ変換部１１０は、内部ＶＩＤ付ＰＢＢフレームから内部ＶＩＤを削除する。そして、ＰＢＢ側フレーム変換部１１０は、ＰＢＢフレーム３００をＰＢＢ側ポート１００ａに供給する。ＰＢＢ側ポート１００ａは、伝送路４０から外部のＰＢＢ網に当該ＰＢＢフレーム３００を送信する。
【００６５】
なお、送信ＰＢＢ格納部１４５が格納しているＩＳＩＤ若しくはＢＶＩＤの値が無効である場合、ＰＢＢ側フレーム変換部１１０は、内部ＶＩＤ、デフォルトのＩＳＩＤ、若しくはデフォルトのＢＶＩＤを、ＩＳＩＤ若しくはＢＶＩＤの値として用いることができる。
【００６６】
（ＶＰＮの構築について）
図８は、本発明の実施の形態に係るスイッチングハブ内において構築されるＶＰＮの概要を示す。
【００６７】
本実施の形態に係るスイッチングハブ１においては、ＰＢＢ網側ラインカード１０はＰＢＢ側ポートを有し、ＥｏＥ網側ラインカード２０はＥｏＥ側ポートを有する。そして、ＰＢＢ側ポートは、受信するＰＢＢフレームに含まれるＢＶＩＤ若しくはＩＳＩＤに対して予め規定された内部ＶＩＤが対応づけられる。同様に、ＥｏＥ側ポートは、受信するＥｏＥフレームに含まれるＥＩＤ及びＳＶＩＤに対して予め規定された内部ＶＩＤが対応づけられる。そして、ＰＢＢ側ポートは、受信したＰＢＢフレームに含まれるＢＶＩＤ若しくはＩＳＩＤに対応する内部ＶＩＤと同一の内部ＶＩＤに対応するＥｏＥ側ポートと通信可能に接続される。また、ＥｏＥ側ポートは、受信したＥｏＥフレームに含まれるＥＩＤ及びＳＢＩＤに対応する内部ＶＩＤと同一の内部ＶＩＤに対応するＰＢＢ側ポートと通信可能に接続される。
【００６８】
なお、スイッチングハブ１が複数のＰＢＢ網側ラインカード１０及び複数のＥｏＥ網側ラインカード２０を備える場合には、ＰＢＢ側ポートは、受信したＰＢＢフレームに含まれるＢＶＩＤ若しくはＩＳＩＤに対応する内部ＶＩＤと同一の内部ＶＩＤに対応づけられている単数若しくは複数のＰＢＢ側ポート及び／又は単数若しくは複数のＥｏＥ側ポートと通信可能に接続される。同様に、ＥｏＥ側ポートは、受信したＥｏＥフレームに含まれるＥＩＤ及びＳＢＩＤに対応する内部ＶＩＤと同一の内部ＶＩＤに対応づけられている単数若しくは複数のＰＢＢ側ポート及び／又は単数若しくは複数のＥｏＥ側ポートと通信可能に接続される。
【００６９】
すなわち、本実施の形態に係るスイッチングハブ１においては、ＰＢＢフレームに含まれるＢＶＩＤ若しくはＩＳＩＤに予め内部ＶＩＤを対応させた受信ＰＢＢ格納部１４０、及びＥｏＥフレームに含まれるＥＩＤ及びＳＶＩＤに予め内部ＶＩＤを対応させた受信ＥｏＥ格納部２４０を設け、同一の内部ＶＩＤ毎にＶＰＮを構築する。
【００７０】
例えば、図８において、ＰＢＢ網側ラインカード１０ａが有するＰＢＢ側ポート１００ｃ、ＰＢＢ網側ラインカード１０ｂが有するＰＢＢ側ポート１００ｄ、ＥｏＥ網側ラインカード２０ａが有するＥｏＥ側ポート２００ｃ、及びＥｏＥ網側ラインカード２０ｂが有するＥｏＥ側ポート２００ｄには、予め同一の内部ＶＩＤ（例えば、値が１２７の内部ＶＩＤ）が対応づけられることによりＶＰＮ５０が構築されている。同様に、ＰＢＢ網側ラインカード１０ｃが有するＰＢＢ側ポート１００ｅ及びＥｏＥ網側ラインカード２０ｃが有するＥｏＥ側ポート２００ｅには、予め同一の内部ＶＩＤ（例えば、値が４０９３の内部ＶＩＤ）が対応づけられることによりＶＰＮ５２が構築されている。
【００７１】
一例として、図４に示すようにＢＶＩＤ若しくはＩＳＩＤが内部ＶＩＤに対応づけられ、図６に示すようにＥＩＤ及びＳＶＩＤが内部ＶＩＤに対応づけられている場合を考える。この場合、例えば、伝送路４０ａを介してＰＢＢ側ポート１００ｃがＩＳＩＤの値が「０ｘ０００１１１」であるＰＢＢフレームを受信した場合、このＰＢＢフレームは、内部ＶＩＤの値が「１２７」で規定されるＶＰＮ５０を介してＰＢＢ網側ラインカード１０ｂ、ＥｏＥ網側ラインカード２０ａ、及びＥｏＥ網側ラインカード２０ｂに送信される。伝送路４０ｂを介してＰＢＢ側ポート１００ｄがＰＢＢフレームを受信した場合、伝送路４２ａを介してＥｏＥ側ポート２００ｃがＥｏＥフレームを受信した場合、及び伝送路４２ｂを介してＥｏＥ側ポート２００ｄがＥｏＥフレームを受信した場合も同様である。また、伝送路４０ｃを介してＰＢＢ側ポート１００ｅがＰＢＢフレームを受信した場合、及び伝送路４２ｃを介してＥｏＥ側ポート２００ｅがＥｏＥフレームを受信した場合も同様である。
【００７２】
なお、受信ＰＢＢ格納部１４０及び／又は受信ＥｏＥ格納部２４０に格納されている内部ＶＩＤの値が無効である場合、ＰＢＢフレームに含まれるＢＶＩＤ若しくはＩＳＩＤ、ＥｏＥフレームに含まれるＥＩＤ若しくはＳＶＩＤを内部ＶＩＤとして用いることもできる。
【００７３】
（Ｔｉｍｅ  ｔｏ  Ｌｉｖｅ（ＴＴＬ）の引継ぎについて）
図９Ａは、ＰＢＢフレームにＴＴＬを埋め込む方法の一例を示す。
【００７４】
ＰＢＢ標準規格（ＩＥＥＥ８０２．１ａｈ）においてはＴＴＬが定義されておらず、ＰＢＢフレームにはＴＴＬ用の格納領域が存在していない。したがって、本実施の形態においては、ＰＢＢフレームの「ＩＳＩＤ」の一部の領域にＴＴＬの値を埋め込むと共に、「Ｉ−ＮＣＡ／ＲＥＳ１／ＲＥＳ２」の一部の領域に「ＩＳＩＤ」にＴＴＬが含まれているか否かを示すＴＴＬ用フラグとしての値を格納する。例えば、「ＩＳＩＤ」の一部の領域に、ＴＴＬを埋め込む領域である「ＰＢＢ．ＴＴＬ．値」を設けると共に、「Ｉ−ＲＥＳ１」及び「Ｉ−ＲＥＳ２」を「ＰＢＢ．ＴＬＬ．値」にＴＴＬが含まれているか否かを示す「ＰＢＢ．ＴＴＬ．識別子」の領域にする。「ＰＢＢ．ＴＴＬ．値」にＴＴＬが含まれていない場合、「ＰＢＢ．ＴＴＬ．識別子」には全て「０」の値が格納される。一方、「ＰＢＢ．ＴＴＬ．値」にＴＴＬが含まれている場合、「ＰＢＢ．ＴＴＬ．識別子」には「０」を除く値が少なくとも一部に含まれる値が格納される。
【００７５】
ＴＴＬを含むＰＢＢフレームを中継するスイッチングハブには、「ＰＢＢ．ＴＴＬ．識別子」の領域を参照し、「ＰＢＢ．ＴＴＬ．識別子」の領域にＴＴＬを含むことを示す値が格納されている場合、「ＰＢＢ．ＴＴＬ．値」の減算など所定のＴＴＬの動作を行う機能が実装される。スイッチングハブには、ポート毎又はラインカード単位で、当該ＴＴＬの動作を行うことができる「ＴＴＬ有り」、又は行うことができない「ＴＴＬ無し」の設定が行われる。
【００７６】
図９Ｂは、ＴＴＬを含むＰＢＢフレームとＥｏＥフレームとの間でＴＴＬが引き継がれる工程の一例を示す。ＰＢＢ網側ラインカード１０は、「ＴＴＬ有り」の設定を行う。
【００７７】
ＰＢＢ網側ラインカード１０が伝送路３０を介して受信したＰＢＢフレーム３００にＴＴＬが含まれている場合、ＰＢＢ網側ラインカード１０が有するＰＢＢ側フレーム変換部１３０は、ＴＴＬを装置内フレーム３２０の「Ｂ／Ｅ−ＴＴＬ」領域に格納する。ＴＴＬを含む装置内フレーム３２０はＰＢＢ網側ラインカード１０からＥｏＥ網側ラインカード２０に送信される。そして、装置内フレーム３２０の「Ｂ／Ｅ−ＴＴＬ」領域に格納されたＴＴＬは、ＥｏＥ側フレーム変換部２３０において内部ＶＩＤ付ＥｏＥフレームの「ＴＴＬ」領域に格納される。続いて、ＥｏＥ側フレーム変換部２３０において内部ＶＩＤが削除されることにより、ＴＴＬを含む内部ＶＩＤ付ＥｏＥフレームがＴＴＬを含むＥｏＥフレーム３４０に変換される。これによりＰＢＢフレーム３００に含まれるＴＴＬがＥｏＥフレーム３４０に引き継がれる。
【００７８】
また、ＥｏＥ網側ラインカード２０が伝送路４０を介して受信したＥｏＥフレーム３４０に含まれているＴＴＬは、ＥｏＥ側フレーム変換部２３０において装置内フレーム３２０の「Ｂ／Ｅ−ＴＴＬ」領域に格納される。すなわち、ＥｏＥ側フレーム変換部２３０は、ＥｏＥ側フレーム変換部２３０において変換された装置内フレーム３４０にＴＴＬを付加する。そして、ＴＴＬを含む装置内フレーム３２０はＰＢＢ網側ラインカード１０に送信される。装置内フレーム３２０の「Ｂ／Ｅ−ＴＴＬ」領域に格納されたＴＴＬは、ＰＢＢ側フレーム変換部１３０において内部ＶＩＤ付ＰＢＢフレームの「ＩＳＩＤ」領域に格納される。
【００７９】
具体的には、「ＩＳＩＤ」内の一部の領域にＴＴＬが格納され、「Ｉ−ＮＣＡ／ＲＥＳ１／ＲＥＳ２」内の「Ｉ−ＲＥＳ１／Ｉ−ＲＥＳ２」にＴＴＬが格納されていることを示すＴＴＬ用フラグとしての値が格納される。そして、ＰＢＢ側ＶＬＡＮ変換部１１０において内部ＶＩＤが削除されることにより、ＴＴＬを含む内部ＶＩＤ付ＰＢＢフレームがＴＴＬを含むＰＢＢフレーム３００に変換される。これにより、ＥｏＥフレーム３４０に含まれるＴＴＬがＰＢＢフレーム３００に引き継がれる。
【００８０】
図９Ｃは、ＴＴＬを含まないＰＢＢフレームとＥｏＥフレームとの間でＴＴＬが引き継がれる工程の一例を示す。
【００８１】
ＰＢＢ網側ラインカード１０が伝送路３０を介して受信したＰＢＢフレーム３００にＴＴＬが含まれていない場合、ＰＢＢ側フレーム変換部１３０は、予め定められたＴＴＬ（Ｄｅｆａｕｌｔ  ＴＴＬ（デフォルトＴＴＬ））を付加する。すなわち、ＰＢＢ側フレーム変換部１３０は、デフォルトＴＴＬを装置内フレーム３２０の「Ｂ／Ｅ−ＴＴＬ」領域に格納する。デフォルトＴＴＬを含む装置内フレーム３２０は、ＰＢＢ網側ラインカード１０からＥｏＥ網側ラインカード２０に送信される。そして、ＥｏＥ側フレーム変換部２３０は、デフォルトＴＴＬを内部ＶＩＤ付ＥｏＥフレーム内に含ませる。
【００８２】
具体的に、ＥｏＥ側フレーム変換部２３０は、デフォルトＴＴＬを内部ＶＩＤ付ＥｏＥフレームの「ＴＴＬ」領域に格納する。続いて、ＥｏＥ側ＶＬＡＮ変換部１１０は、デフォルトＴＴＬを含む内部ＶＩＤ付ＥｏＥフレームから内部ＶＩＤを削除することにより、内部ＶＩＤ付ＥｏＥフレームを、デフォルトＴＴＬを含むＥｏＥフレーム３４０に変換する。これにより、デフォルトＴＴＬがＥｏＥフレーム３４０に引き継がれる。
【００８３】
また、ＥｏＥ網側ラインカード２０が伝送路４０を介して受信したＥｏＥフレーム３４０に含まれているＴＴＬは、ＥｏＥ側フレーム変換部２３０において装置内フレーム３２０の「Ｂ／Ｅ−ＴＴＬ」領域に格納される。すなわち、ＥｏＥ側フレーム変換部２３０は、ＥｏＥ側フレーム変換部２３０において変換された装置内フレーム３４０にＴＴＬを付加する。そして、ＴＴＬを含む装置内フレーム３２０はＰＢＢ網側ラインカード１０に送信される。ここで、ＰＢＢ網側ラインカード１０に「ＴＴＬ無し」の設定が行われている場合、ＰＢＢ側フレーム変換部１３０において、内部ＶＩＤ付ＰＢＢフレームの「ＩＳＩＤ」のＴＴＬを埋め込む領域に、装置に設定された所定の値が格納される。
【００８４】
具体的には、「ＩＳＩＤ」内の一部の領域に装置に設定された所定の値が格納され、「Ｉ−ＮＣＡ／ＲＥＳ１／ＲＥＳ２」内の「Ｉ−ＲＥＳ１／Ｉ−ＲＥＳ２」にＴＴＬが格納されていないことを示す「０」の値が格納される。そして、ＰＢＢ側ＶＬＡＮ変換部１１０において内部ＶＩＤが削除されることにより、ＴＴＬを含まない内部ＶＩＤ付ＰＢＢフレームがＴＴＬを含まないＰＢＢフレーム３００に変換される。
【００８５】
（実施の形態の効果）
本発明の実施の形態に係るスイッチングハブ１は、内部ＶＩＤを用いてユーザーフレームをカプセル化した装置内フレームが互いに異なる規格の通信網に接続されているラインカード間を送受信されることで、互いに異なる通信網間のスイッチングを実行する。これにより、本実施の形態に係るスイッチングハブ１は、１台のスイッチングハブ１のみで互いに異なる通信網間（例えば、ＰＢＢ網とＥｏＥ網との間）におけるフレーム中継をすることができる。
【００８６】
また、本発明の実施の形態に係るスイッチングハブ１は、ＦＤＢに、ユーザーフレームに含まれるＭＡＣアドレス（例えば、図７では、ＣＳＡに格納されるＭＡＣアドレス）を登録することを要さず、カプセル化ヘッダに含まれるＭＡＣアドレス（例えば、ＢＳＡ又はＥＳＡに格納されるＭＡＣアドレス）を登録するのみでよいので、ＦＤＢへのＭＡＣアドレスの登録数を削減することができる。よって、大容量のＦＤＢを使用しないことができる。
【００８７】
また、本発明の実施の形態に係るスイッチングハブ１は、スイッチングハブ１が備えるＰＢＢ網側ラインカード１０のＰＢＢ側ポート１００に、ＰＢＢフレームに含まれるＢＶＩＤ若しくはＩＳＩＤに対応する内部ＶＩＤが予め対応づけられると共に、ＥｏＥ網側ラインカード２０のＥｏＥ側ポート２００に、ＥｏＥフレームに含まれるＥＩＤ及びＳＶＩＤに対応する内部ＶＩＤが予め対応づけられている。これにより、スイッチングハブ１は、スイッチングハブ１が受信するＰＢＢフレーム及びＥｏＥフレームに応じて、予め定められたＶＰＮを介して受信したＰＢＢフレーム及びＥｏＥフレームを送受信できる。したがって、本実施の形態に係るスイッチングハブ１によれば、ＰＢＢ網とＥｏＥ網とを適切にＶＰＮ接続することができる。
【００８８】
更に、本発明の実施の形態に係るスイッチングハブ１は、ＥｏＥフレーム３４０に含まれるＴＴＬ若しくはデフォルトＴＴＬをＰＢＢフレーム３００に引き継ぐことができるので、ＰＢＢ網に存在する複数の中継装置（例えば、コアスイッチ等）のそれぞれにＴＴＬの値を減算させる機能を備えさせることにより、ＥｏＥ網からＰＢＢ網にスイッチングハブ１によりスイッチングされて送信されたＰＢＢフレーム３００が、ＰＢＢ網においてループすることを防止できる。
【００８９】
（変形例）
本実施の形態に係るＰＢＢ網側ラインカード１０の機能を有するＰＢＢ網側送受信部としての第１の回路と、ＥｏＥ網側ラインカード２０の機能を有するＥｏＥ網側送受信部としての第２の回路と、フレーム中継経路３０の機能を有する中継経路としての第３の回路とを一つの基板上に実装することができる。そして、第１の回路、第２の回路、及び第３の回路が実装された基板を、所定の筐体に収めたボックス型のスイッチングハブを構成することもできる。
【００９０】
また、本実施の形態においてはＰＢＢ網とＥｏＥ網とを中継するスイッチングハブについて説明したが、本実施の形態に係るスイッチングハブ１が備える構成及び／又は機能の全部又は一部を、ユーザデータ等の情報をカプセル化して中継する第１通信網と、第１通信網とは異なる規格であって、情報（すなわち、ユーザデータ）をカプセル化して中継する第２通信網との間を中継するネットワーク中継機器に適用することもできる。
【００９１】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００９２】
１  スイッチングハブ
１０  ＰＢＢ網側ラインカード
２０  ＥｏＥ網側ラインカード
３０  フレーム中継経路
４０、４２  伝送路
５０、５２  ＶＰＮ
１００ａ、１００ｂ  ＰＢＢ側ポート
１１０  ＰＢＢ側ＶＬＡＮ変換部
１２０  ＰＢＢ処理部
１３０  ＰＢＢ側フレーム変換部
１３２  ＰＢＢ側宛先判定・送信元学習部
１３４  ＰＢＢ側ＦＤＢ
１４０、１４０ａ、１４０ｂ  受信ＰＢＢ格納部
１４５  送信ＰＢＢ格納部
２００ａ、２００ｂ  ＥｏＥ側ポート
２１０  ＥｏＥ側ＶＬＡＮ変換部
２２０  ＥｏＥ処理部
２３０  ＥｏＥ側フレーム変換部
２３２  ＥｏＥ側宛先判定・送信元学習部
２３４  ＥｏＥ側ＦＤＢ
２４０  受信ＥｏＥ格納部
２４５  送信ＥｏＥ格納部
３００  ＰＢＢフレーム
３２０  装置内フレーム
３４０  ＥｏＥフレーム
【図１】
2011120032.tif 000003
【図２】
2011120032.tif 000004
【図３】
2011120032.tif 000005
【図４】
2011120032.tif 000006
【図５】
2011120032.tif 000007
【図６】
2011120032.tif 000008
【図７】
2011120032.tif 000009
【図８】
2011120032.tif 000010
【図９Ａ】
2011120032.tif 000011
【図９Ｂ】
2011120032.tif 000012
【図９Ｃ】
2011120032.tif 000013